(57)【要約】【課題】駆動輪を駆動する動力を発揮する電動モータに電力を供給する高電圧バッテリと、補機に電力を供給する低電圧バッテリとが車体に搭載される電動車両において、高電力系の遮断器のメンテナンス時の作業手順を守り易くする。【解決手段】高電圧バッテリ３６に連なる高電力系の回路７４に遮断器６２が介設され、低電圧バッテリ４０に連なる低電力系の回路７５に該回路の断・接を手動操作によって切換える手動断・接手段７１が介設され、低電力系の回路７５からの電力供給によって高電力系の回路７４の断・接を切換可能であるとともに低電力系の回路７４の遮断時には高電力系の回路７４を遮断するリレースイッチ６３，６４が高電力系の回路７４に介設され、接触防止手段によって、低電力系の回路７５が手動断・接手段７１によって遮断されている状態でのみ遮断器６２への接触が許容される。【選択図】        図３
2011063065.tif 000002
【特許請求の範囲】
【請求項１】
駆動輪（ＷＲ）を駆動する動力を発揮する電動モータ（２３）に電力を供給する高電圧バッテリ（３６）と、補機（５１，５２，７３）に電力を供給する低電圧バッテリ（４０）とが車体（Ｂ）に搭載される電動車両において、前記高電圧バッテリ（３６）に連なる高電力系の回路（７４）に介設される遮断器（６２）と、前記低電圧バッテリ（４０）に連なる低電力系の回路（７５）の断・接を手動操作によって切換えるようにして前記低電力系の回路（７５）に介設される手動断・接手段（７１）と、前記低電力系の回路（７５）からの電力供給によって前記高電力系の回路（７４）の断・接を切換可能であるとともに前記低電力系の回路（７５）の遮断時には前記高電力系の回路（７４）を遮断するリレースイッチ（６３，６３）と、前記手動断・接手段（７１）によって前記低電力系の回路（７５）が遮断されている状態でのみ前記遮断器（６２）への接触を許容する接触防止手段（１１１）とを備えることを特徴とする電動車両。
【請求項２】
前記接触防止手段（１１１）が、前記遮断器（６２）を覆ってケース（７９）に開閉可能に取付けられる蓋部材（１０９）の開放を、前記手動断・接手段（７１）によって前記低電力系の回路（７５）が遮断されている状態でのみ許容するように構成されることを特徴とする請求項１記載の電動車両。
【請求項３】
前記蓋部材（１０９）にその開き側から対向する位置に、前記手動断・接手段（７１）がその手動遮断時に前記蓋部材（１０９）の開放を許容するようにして配置されることを特徴とする請求項２記載の電動車両。
【請求項４】
前記高電圧バッテリ（３６）を収容するバッテリケース（３７）の一部を構成する前記ケース（７９）に、複数のねじ部材（１１０）で前記蓋部材（１０９）が締結され、前記接触防止手段（１１１）は、前記手動断・接手段であるコネクタ（７１）が、前記低電力系の回路（７５）の一部を構成する電線の導通・遮断を手動操作によって切り換えることを可能として、複数の前記ねじ部材（１１０）の少なくとも１つを前記蓋部材（１０９）の開き側から覆うように配置されて成ることを特徴とする請求項２または３記載の電動車両。
【請求項５】
前記遮断器（６２）および前記蓋部材（１０９）が、平面視で前記バッテリケース（３７）の幅方向中心から一側にオフセットした位置に配置されることを特徴とする請求項４記載の電動車両。
【請求項６】
前記車体（Ｂ）の一部を構成する車体フレーム（Ｆ）が、前輪（ＷＦ）を軸支するフロントフォーク（２４）を操向可能に支承するヘッドパイプ（２６）から後下がりに延びるダウンフレーム（２７）と、該ダウンフレーム（２７）の下部から後方に延びる左右一対のアンダーフレーム（２８）と、それらのアンダーフレーム（２８）の後部から後上がりに延びる左右一対のリヤフレーム（２９）とを備え、前記高電圧バッテリ（３６）が左右一対の前記アンダーフレーム（２８）間に配置され、前記低電圧バッテリ（４０）が左右一対の前記リヤフレーム（２９）間に配置され、前記リレースイッチ（６３，６４）が、側面視で前記高電圧バッテリ（３６）および前記低電圧バッテリ（４０）間に配置されることを特徴とする請求項１記載の電動車両。
【請求項７】
前記駆動輪である後輪（ＷＲ）を軸支するスイングアーム（２２）の前部が、前記車体フレーム（Ｆ）の前記リヤフレーム（２９）に揺動自在に支承され、前記電動モータ（２３）と、該電動モータ（２３）を制御するようにして前記後輪（ＷＲ）の前方に配置されるパワードライブユニット（６１）とが前記スイングアーム（２２）に設けられ、前記リレースイッチ（６３，６４）が、側面視で前記高電圧バッテリ（３６）、前記低電圧バッテリ（４０）および前記パワードライブユニット（６１）によって囲まれる領域に配置されることを特徴とする請求項６記載の電動車両。
【発明の詳細な説明】
【技術分野】
【０００１】
本発明は、駆動輪を駆動する動力を発揮する電動モータに電力を供給する高電圧バッテリと、補機に電力を供給する低電圧バッテリとが車体に搭載される電動車両に関する。
【背景技術】
【０００２】
電動モータに、たとえば３６Ｖの高電圧バッテリから電力を供給し、コントロールユニット（ＥＣＵ）に、たとえば１２Ｖの低電圧バッテリから電力を供給するようにした電動二輪車が、特許文献１で既に知られている。
【先行技術文献】
【特許文献】
【０００３】
【特許文献１】特開２００６−１８１２３１５号公報
【発明の概要】
【発明が解決しようとする課題】
【０００４】
ところで、１つの車両で電力系を、高電圧バッテリに連なる高電力系と、低電圧バッテリに連なる低電力系とに分ける場合、低電力系のリレーによって高電力系の断・接を切換えるようにすることで、高電力系の配線長が長くなったり、高電力系のスイッチ回路が大型化するのを抑制する技術はよく知られているところであるが、高電力系の回路には遮断器としてのヒューズが設けられていることが多く、そのメンテナンス（取換え作業）を行う際には、特に気をつかうことなく、遮断器のメンテナンス作業をすることが望まれていた。
【０００５】
本発明は、かかる事情に鑑みてなされたものであり、高電力系の遮断器のメンテナンス時の作業手順を守り易くした電動車両を提供することを目的とする。
【課題を解決するための手段】
【０００６】
上記目的を達成するために、本発明は、駆動輪を駆動する動力を発揮する電動モータに電力を供給する高電圧バッテリと、補機に電力を供給する低電圧バッテリとが車体に搭載される電動車両において、前記高電圧バッテリに連なる高電力系の回路に介設される遮断器と、前記低電圧バッテリに連なる低電力系の回路の断・接を手動操作によって切換えるようにして前記低電力系の回路に介設される手動断・接手段と、前記低電力系の回路からの電力供給によって前記高電力系の回路の断・接を切換可能であるとともに前記低電力系の回路の遮断時には前記高電力系の回路を遮断するリレースイッチと、前記手動断・接手段によって前記低電力系の回路が遮断されている状態でのみ前記遮断器への接触を許容する接触防止手段とを備えることを第１の特徴とする。
【０００７】
また本発明は、第１の特徴の構成に加えて、前記接触防止手段が、前記遮断器を覆ってケースに開閉可能に取付けられる蓋部材の開放を、前記手動断・接手段によって前記低電力系の回路が遮断されている状態でのみ許容するように構成されることを第２の特徴とする。
【０００８】
本発明は、第２の特徴の構成に加えて、前記蓋部材にその開き側から対向する位置に、前記手動断・接手段がその手動遮断時に前記蓋部材の開放を許容するようにして配置されることを第３の特徴とする。
【０００９】
本発明は、第２または第３の特徴の構成に加えて、前記高電圧バッテリを収容するバッテリケースの一部を構成する前記ケースに、複数のねじ部材で前記蓋部材が締結され、前記接触防止手段は、前記手動断・接手段であるコネクタが、前記低電力系の回路の一部を構成する電線の導通・遮断を手動操作によって切り換えることを可能として、複数の前記ねじ部材の少なくとも１つを前記蓋部材の開き側から覆うように配置されて成ることを第４の特徴とする。
【００１０】
本発明は、第４の特徴の構成に加えて、前記遮断器および前記蓋部材が、平面視で前記バッテリケースの幅方向中心から一側にオフセットした位置に配置されることを第５の特徴とする。
【００１１】
本発明は、第１の特徴の構成に加えて、前記車体の一部を構成する車体フレームが、前輪を軸支するフロントフォークを操向可能に支承するヘッドパイプから後下がりに延びるダウンフレームと、該ダウンフレームの下部から後方に延びる左右一対のアンダーフレームと、それらのアンダーフレームの後部から後上がりに延びる左右一対のリヤフレームとを備え、前記高電圧バッテリが左右一対の前記アンダーフレーム間に配置され、前記低電圧バッテリが左右一対の前記リヤフレーム間に配置され、前記リレースイッチが、側面視で前記高電圧バッテリおよび前記低電圧バッテリ間に配置されることを第６の特徴とする。
【００１２】
さらに本発明は、第６の特徴の構成に加えて、前記駆動輪である後輪を軸支するスイングアームの前部が、前記車体フレームの前記リヤフレームに揺動自在に支承され、前記駆動モータと、該駆動モータを制御するようにして前記後輪の前方に配置されるパワードライブユニットとが前記スイングアームに設けられ、前記リレースイッチが、側面視で前記高電圧バッテリ、前記低電圧バッテリおよび前記パワードライブユニットによって囲まれる領域に配置されることを第７の特徴とする。
【００１３】
なお実施の形態の前照灯５１、尾灯５２が本発明の補機に対応し、実施の形態のヒューズ６２が本発明の遮断器に対応し、実施の形態のコネクタ７１が本発明の手動断・接手段に対応し、実施の形態の上部ケース７９が本発明のケースに対応し、実施の形態の蓋部材１０９が本発明の蓋部材に対応し、実施の形態のねじ部材１１０が本発明のねじ部材に対応する。
【発明の効果】
【００１４】
本発明の第１および第２の特徴によれば、手動断・接手段によって低電力系の回路が遮断されている状態でのみ、接触防止手段の働きによって遮断器への接触が許容され、その状態では、リレースイッチが遮断状態にあって高電力系の回路が遮断されているので、遮断器のメンテナンスを行う時には手動断・接手段による低電力系の回路遮断が必要となり、高電力系の遮断器のメンテナンス時の作業手順が守り易くなる。
【００１５】
また本発明の第３および第４の特徴によれば、手動断・接手段による手動遮断時に蓋部材の開放を許容するようにすることで、接触防止手段を簡素な構造で構成することができる。
【００１６】
本発明の第５の特徴によれば、遮断器と、接触防止手段の一部を構成する蓋部材とが、平面視でバッテリケースの幅方向中心から一側にオフセットした位置にあるので、車体の幅方向一側からのメンテナンス作業を行い易くなる。
【００１７】
本発明の第６の特徴によれば、高電圧バッテリが左右一対のアンダーフレーム間に配置され、低電圧バッテリが左右一対のリヤフレーム間に配置されるので、高電圧バッテリおよび低電圧バッテリの外部からの保護が可能であり、リレースイッチが、側面視で高電圧バッテリおよび低電圧バッテリ間に配置されるので、リレー配線のコンパクト化が可能となる。
【００１８】
さらに本発明の第７の特徴によれば、電動モータおよびパワードライブユニットがスイングアームに設けられ、リレースイッチが、側面視で高電圧バッテリ、低電圧バッテリおよびパワードライブユニットによって囲まれる位置に配置されるので、リレースイッチの周囲に高圧系の電装部品を配置して、高圧系の配線をコンパクト化することができる。
【図面の簡単な説明】
【００１９】
【図１】電動二輪車の側面図である。
【図２】車体カバーを省略した状態での電動二輪車の側面図である。
【図３】電気系統の概略系統図である。
【図４】図２の４矢視図である。
【図５】バッテリボックスおよび冷却空気導入ダクトの斜視図である。
【図６】アンダーカバーを省略した状態での図１の６−６線断面図である。
【図７】図６の７−７線拡大断面図である。
【図８】レッグシールドおよびリッドの分解斜視図である。
【図９】図２の９矢視図である。
【図１０】図９の１０矢示部拡大図である。
【図１１】図２の要部拡大図である。
【図１２】図１１の１２矢視図である。
【図１３】図１１の１３矢視図である。
【図１４】サイドカバーに設けられた開口部を開放した状態を示す側面図である。
【発明を実施するための形態】
【００２０】
以下、本発明の実施の形態について、図１〜図１４を参照しながら説明すると、先ず図１において、この電動車両は、低床フロア４４を有するスクータ型の電動二輪車であり、駆動輪である後輪ＷＲの車軸２１を後部で軸支するスイングアーム２２に内蔵された電動モータ２３が発揮する回転動力で、前記後輪ＷＲが回転駆動されるように構成される。
【００２１】
図２において、この電動二輪車の車体フレームＦは、前輪ＷＦを軸支するフロントフォーク２４ならびに該フロントフォーク２４の上部に連結された操向ハンドル２５を操向可能に支承するヘッドパイプ２６と、該ヘッドパイプ２６から後下がりに延びるダウンフレーム２７と、該ダウンフレーム２７の下部に連結されて後方に延びる左右一対のアンダーフレーム２８…と、それらのアンダーフレーム２８…の後端に一体に連なって後上がりに延びる左右一対のリヤフレーム２９…とを備える。
【００２２】
前記車体フレームＦにおける両リヤフレーム２９…の前部に設けられたピボットプレート３０…には、車体Ｂを左側に傾けた起立状態に保持するためのサイドスタンド３１が回動可能に取付けられるとともに、前記スイングアーム２２の前部が支軸３２を介して揺動可能に支承され、前記両リヤフレーム２９…のうち左側のリヤフレーム２９の後部および前記スイングアーム２２の後部間にはリヤクッションユニット３３が設けられる。また前記スイングアーム２２の前部にはメインスタンド３４が回動可能に取付けられる。
【００２３】
前記両アンダーフレーム２８…間には、前記電動モータ２３に電力を供給するためのたとえば７２Ｖである高電圧バッテリ３６を内蔵せしめたバッテリケース３７が両アンダーフレーム２８…で支持されるようにして配置され、前記両リヤフレーム２９…間には、側面視で前記スイングアーム２２の上方に配置される収納ボックス３８が、両リヤフレーム２９…で支持されるようにして配置され、この収納ボックス３８は、開閉可能な乗車用シート３９で上方から覆われる。しかも収納ボックス３８の後側下部には、補機たとえば前照灯５１、尾灯５２および制御ユニット（図示せず）とに低電圧たとえば１２Ｖの電力を供給するための低電圧バッテリ４０を収納するバッテリ収納部３８ａが下方に突出するようにして一体に形成される。
【００２４】
前記車体フレームＦは、該車体フレームＦとともに車体Ｂを構成する合成樹脂製の車体カバー４１で覆われるものであり、該車体カバー４１は、前記ヘッドパイプ２６を前方から覆うフロントカバー４２と、前記乗車用シート３９に座った乗員の脚部を前方から覆うようにして前記フロントカバー４２に連なるレッグシールド４３と、前記乗車用シート３９に座った乗員の足を載せるようにして前記レッグシールド４３の下部に連なるとともに前記バッテリケース２８を上方から覆う低床フロア４４と、前記両アンダーフレーム２８…を両側から覆うようにして前記低床フロア４４の両側から垂下される左右一対のフロアサイドカバー４５…と、前記両フロアサイドカバー４５…の下縁間を結ぶアンダーカバー４６と、前記乗車用シート３９の下方を前方から覆うようにして低床フロア４４の後端から立ち上がるシート下前部カバー４７と、前記乗車用シート３９の下方を両側から覆うようにして前記シート下前部カバー４７の両側に連なる左右一対のサイドカバー４８…と、前記後輪ＷＲを上方から覆って前記両サイドカバー４８…に連なるリヤカバー４９とを備え、前記バッテリケース３７は、車体カバー４１のうち前記低床フロア４４、フロアサイドカバー４５…、アンダーカバー４６、シート下前部カバー４７およびサイドカバー４８…で覆われる。
【００２５】
前記フロントカバー４２の前端には、前記ヘッドパイプ２６に固定されたステー５０で支持されるようにして前照灯５１が配設され、前記リヤフレーム２９…には尾灯５２が取付けられる。また前記フロントフォーク２４には、前輪ＷＦを上方から覆うフロントフェンダ５３が取付けられ、前記後輪ＷＲを後方斜め上方から覆うリヤフェンダ５４が前記リヤカバー４９に連設され、前記後輪ＷＲを前方斜め上方から覆うフェンダ５５が前記スイングアーム２２の前部に取付けられる。また前記操向ハンドル２５の中央部はハンドルカバー５６で覆われており、フロントカバー４２の前方に配置されるフロントキャリア５７が前記ステー５０で支持され、前記乗車用シート３９の後方かつリヤカバー４９の上方には、前記リヤフレーム２９…で支持されるようにしてリヤキャリア５８が配置される。
【００２６】
図３において、前記電動モータ２３は、制御ユニットが組み込まれたパワードライブユニット（ＰＤＵ）６１によって駆動されるものであり、このパワードライブユニット６１は、ヒューズ６２および第１リレースイッチ６３を介して高電圧バッテリ３６のプラス側端子に接続され、第１リレースイッチ６３には、第２リレースイッチ６４および抵抗７６から成る直列回路が並列に接続される。ところで高電圧バッテリ３６および低電圧バッテリ４０には、外部電源ＰＳに接続されることで高電圧バッテリ３６と同レベルの高電圧を出力し得る充電器６５から充電することが可能であり、外部電源ＰＳに接続された前記充電器６５に連なる給電側接続具６６を差し込み接続可能な受電側接続具６７が車両側に設けられ、該受電側接続具６７がＤＣ−ＤＣコンバータ６８に接続される。
【００２７】
而して前記ＤＣ−ＤＣコンバータ６８は、受電側接続具６７に連なる一対のラインＬ１，Ｌ２の一方Ｌ１に介設される電界効果型トランジスタ６９と、充電器６５からの電圧を低電圧たとえば１２Ｖに降下せしめるようにして前記両ラインＬ１，Ｌ２に接続される電圧降下回路部７０とを備えており、このＤＣ−ＤＣコンバータ６８の前記両ラインＬ１，Ｌ２は、高電圧の充電電流を高電圧バッテリ３６に供給すべく、第２リレースイッチ６４および抵抗７６から成る直列回路と第１リレースイッチ６３との並列回路を介して高電圧バッテリ３６のプラス側端子に接続されるとともに高電圧バッテリ３６のマイナス側端子に接続され、前記電圧降下回路部７０は、低電圧バッテリ４０のプラス側端子およびマイナス側端子に接続される。
【００２８】
前記パワードライブユニット６１に内蔵された制御ユニットには、前記低電圧バッテリ４０のプラス側端子がメインスイッチ７２を介して接続されるとともに前記低電圧バッテリ４０のマイナス側端子が接続される。また第１および第２リレースイッチ６３，６４の断・接は、低電圧バッテリ４０から供給される電力によってバッテリマネイジングユニット（ＢＭＵ）７３から出力される制御電流により切換えられるものであり、バッテリマネイジングユニット７３には、前記低電圧バッテリ４０のプラス側端子が前記メインスイッチ７２およびコネクタ７１を介して接続されるとともに、前記低電圧バッテリ４０のマイナス側端子が接続される。
【００２９】
而してメインスイッチ７２がＯＮされると、バッテリマネイジングユニット７３は、先ず第２リレースイッチ６４を導通状態として高電圧バッテリ３６から第２リレースイッチ６４、抵抗７６およびヒューズ６２を介してパワードライブユニット６１に電流を流し、その後で、第１リレースイッチ６３を導通する。これにより、パワードライブユニット６１内に設けられているコンデンサへの突入電流によって第１リレースイッチ６３が溶着してしまうのが防止される。
【００３０】
ところで高電圧バッテリ３６およびパワードライブユニット６１間、ならびに高電圧バッテリ３６およびＤＣ−ＤＣコンバータ６８間の回路は、高電圧バッテリ３６に連なる高電力系の回路（太実線で示す回路）７４を構成し、低電圧バッテリ４０とパワードライブユニット６１、バッテリマネイジングユニット７３およびＤＣ−ＤＣコンバータ６８との間の回路は低電圧バッテリ４０に連なる低電力系の回路（細実線で示す回路）７５を構成し、高電力系の回路７４に、第１リレースイッチ６３、第２リレースイッチ６４、ヒューズ６２および抵抗７６が介設され、低電力系の回路７５に、コネクタ７１およびメインスイッチ７２が介設されることになる。
【００３１】
なお第１リレースイッチ６３、第２リレースイッチ６４およびバッテリマネイジングユニット７３は、高電圧バッテリ３６を収納するバッテリケース３７に収納される。
【００３２】
図４および図５を併せて参照して、前記バッテリケース３７は、上方に開いた箱形の下部ケース７８と、下方に開いた箱形の上部ケース７９とが複数のねじ部材８０，８０…で相互に締結されて成るものであり、下部ケース７８半体の両側上部に固着されて側方に張り出す複数の支持板８１，８１…が、車体フレームＦにおける両アンダーフレーム２８…上にボルト８２，８２…と、アンダーフレーム２８…に溶着されたウエルドナット８３，８３…とによって締結されることで、バッテリケース３７が両アンダーフレーム２８…に支持される。
【００３３】
前記両アンダーフレーム２８…間には、前記バッテリケース３７の前後方向略中央部を跨ぐクロス部材８４が設けられており、低床フロア４４は該クロス部材８４で支持される。また前記両アンダーフレーム２８…の前部間には、前記バッテリケース３７の前側下部を前方から保護する前部保護部材８５がその中央部をダウンフレーム２７の下端に連結するようにして設けられ、前記両アンダーフレーム２８…の後部間には、前記バッテリケース３７の後側下部を後方から保護する後部保護部材８６が設けられ、前後方向に延びる複数の下部保護部材８７，８７…が、前記バッテリケース３７を下方から保護するようにして前部および後部保護部材８５，８６間に設けられる。
【００３４】
図６〜図８を併せて参照して、前記バッテリケース３７における下部ケース７８の前部には、左右一対の冷却空気導入ダクト８８…の下流端部が接続管７７…を介して接続される。ところで前記レッグシールド４３は、前記ヘッドパイプ２６の後部に固着されたステー１０３にボルト９３で支持されており、このレッグシールド４３内で前記ダウンフレーム２７を両側から挟む両冷却空気導入ダクト８８…は、該ダウンフレーム２７に沿って延びるように配置される。一方、前記ダウンフレーム２７の前記ヘッドパイプ２６への連結部に対応した位置で前記レッグシールド４３には、車両後方に向けて開口する左右一対の開口部９０，９０が設けられており、前記両冷却空気導入ダクト８８…の上流端部は、前記開口部９０…にそれぞれ通じるようにして前記レッグシールド４３に接続管８９…を介して接続される。
【００３５】
ところで前記レッグシールド４３には、その後面から前方に凹む凹部９１が形成されており、前記両開口部９０…は前記凹部９１の上部に設けられる。しかも前記両開口部９０…間の中央部で前記凹部９１には、第１ボス９２が後方に向かって突出するようにして一体に突設される。
【００３６】
また前記レッグシールド４３には、前記両開口部９０…を覆うリッド９４が複数のねじ部材９５，９５…によって取付けられる。而して前記両開口部９０…を囲む仮想長方形の各角部に対応する位置で前記凹部９１には円筒状の第２ボス９６，９６…が一体に突設されており、それらの第２ボス９６，９６…に内面を当接せしめるリッド９４が、該リッド９４に挿通されて第２ボス９６，９６…に螺合される前記ねじ部材９５，９５…によってレッグシールド４３に締結される。
【００３７】
前記リッド９４の下縁と、前記凹部９１の下部との間には、前記両開口部９０…に通じる空気導入口９７が形成される。また前記凹部９１の上下に間隔をあけた複数箇所たとえば２箇所には、車幅方向に長く延びて後方に突出する第１の突起９８，９９が前記リッド９４との間に空気を流通させる隙間を形成するようにして突設され、前記リッド９４の内面の上下に間隔をあけた複数箇所たとえば２箇所には、車幅方向に長く延びて前方に突出する第２の突起１００，１０１が前記凹部９１との間に空気を流通させる隙間を形成するようにして突設される。しかも２つずつの第１の突起９８，９９および第２の突起１００，１０１は、上下方向で交互に配置される。
【００３８】
しかも前記レッグシールド４３およびリッド９４間には、前記空気導入口９７および前記両開口部９０…間に介在するようにしてスポンジ状の濾過部材１０４が挟持されており、この濾過部材１０４は前記第１ボス９２が挿通されることによって位置決めされる。
【００３９】
ところで図１で示すように、前輪ＷＦの車軸１０２はレッグシールド４３よりも前方に配置されるものであり、前記両開口部９０…の少なくとも一部、この実施の形態では前記両開口部９０…の前部が前記前輪ＷＦの上端よりも側面視で上方に配置される。
【００４０】
図９を併せて参照して、前記バッテリケース３７内には、該バッテリケース３７の後側上面、この実施の形態ではバッテリケース３７の一部を構成する上部ケース７９がその後部に備える立ち上がり部７９ａの上面に取付けられる冷却ファン１０５の作動によって冷却空気が導入されるものであり、吸入側を前記バッテリケース３７の立ち上がり部７９ａに接続するとともに吐出口１０６を前記バッテリケース３７の幅方向一側（この実施の形態では左側）に向けて開口せしめた前記冷却ファン１０５は、前記バッテリケース３７の幅方向中心Ｃ（図９参照）から他側（この実施の形態では右側）にオフセットした位置で、前記立ち上がり部７９ａの上面に取付けられる。
【００４１】
また前記立ち上がり部７９ａには、前記高電力系の回路７４に介設される第１および第２リレースイッチ６３，６４が収容されるものであり、第１および第２リレースイッチ６３，６４は、図２で示すように、側面視で前記高電圧バッテリ３６および前記低電圧バッテリ４０間に配置されることになる。
【００４２】
ところで前記後輪ＷＲを駆動する電動モータ２３が後部に収容される前記スイングアーム２２の前部には、前記後輪ＷＲの前方に配置されるパワードライブユニット６１が設けられる。而してバッテリケース３７の後部内に収容される第１および第２リレースイッチ６３，６４は、側面視で、前記高電圧バッテリ３６、前記低電圧バッテリ４０および前記パワードライブユニット６１によって囲まれる領域に配置されることになる。またＤＣ−ＤＣコンバータ６８は、両リヤフレーム２９…間を連結して収納ボックス３８の後部を支持するクロスメンバー１０７（図４参照）で支持されるようにして、収納ボックス３８の後方に配置される。
【００４３】
また前記高電力系の回路７４に介設されるヒューズ６２は、前記バッテリケース３７の一部を構成する下部ケース７８に設けられて前記立ち上がり部７９ａを後方から覆うリレーボード１０８に支持されるとともに、前記立ち上がり部７９ａおよびリレーボード１０８間に収容され、前記ヒューズ６２を上方から覆う蓋部材１０９が複数のねじ部材１１０…で前記上部ケース７９の立ち上がり部７９ａに締結される。しかも前記蓋部材１０９は、平面視でバッテリケース３７の幅方向中心Ｃから一側（この実施の形態では左側）にオフセットして配置されることになる。
【００４４】
前記低電力系の回路７５に介設されるコネクタ７１は、低電圧バッテリ４０に連なる低電力系の回路７５の一部を構成する電線の導通・遮断を手動操作によって切り換えることが可能であり、前記バッテリケース３７の立ち上がり部７９ａおよびリレーボード１０８間に収容されるヒューズ６２への接触は、接触防止手段１１１の働きによって、コネクタ７１で前記低電力系の回路７５を遮断した状態でのみ許容される。
【００４５】
前記接触防止手段１１１は、前記バッテリケース３７の立ち上がり部７９ａおよびリレーボード１０８間に収容された前記ヒューズ６２を覆う蓋部材１０９の開放を前記コネクタ７１で低電力系の回路７５を遮断した状態でのみ許容するように構成されるものであり、前記コネクタ７１が、前記蓋部材１０９を前記上部ケース７９の立ち上がり部７９ａに締結する複数の前記ねじ部材１１０…の少なくとも１つを前記蓋部材１０９の開き側から覆うように配置されて成る。すなわち前記蓋部材１０９にその開き側から対向する位置に配置される前記コネクタ７１が、その手動遮断時に前記蓋部材１０９の開放を許容するようにして配置されることになる。
【００４６】
図１０において、前記コネクタ７１は、相互に分離可能とした一対のコネクタ半体１１２，１１３から成るものであり、両コネクタ半体１１２，１１３の一方１１２が、前記蓋部材１０９に設けられる保持部１０９ａに挿通、保持され、そのコネクタ半体１１２に結合されるコネクタ半体１１３が、蓋部材１０９を上部ケース７９の立ち上がり部７９ａに締結する複数の前記ねじ部材１１０…の１つの上方に配置される。
【００４７】
図１１〜図１４において、前記収納ボックス３８は、前記両リヤフレーム２９…間にわたって設けられる前記クロスメンバー１０７と、該クロスメンバー１０７よりも前方で両リヤフレーム２９…間に設けられるクロスメンバー１１４とで支持されており、車幅方向において前記サイドスタンド３１が配置される側で前記収納ボックス３８の側方には、前記充電器６５に連なる給電側接続具６６を差し込み接続可能とした受電側接続具６７が配置される。而して車体フレームＦの一部を構成して前記収納ボックス３８の側方に配置される左右一対のリヤフレーム２９…のうち左側のリヤフレーム２９…には、該リヤフレーム２９…から内側に延びる取付け部１１６ａを有するステー１１６が固定され、前記取付け部１１６ａに前記受電側接続具６７が取り付けられる。
【００４８】
しかも前記受電側接続具６７への前記給電側接続具６６の差し込み接続方向１１７は、前記受電側接続具６７の前方もしくは後方から前記受電側接続具６７に近接するにつれて車幅方向内方位置となるように傾斜して設定されるものであり、この実施の形態では、前記受電側接続具６７に前方から差し込み接続可能な前記給電側接続具６６の差し込み接続方向１１７が、前方から前記受電側接続具６７に近接するにつれて車幅方向内方位置となるように傾斜して設定され、この差し込み接続方向１１７は、収納位置から前方に回動して起立位置となるメインスタンド３４の回動支点に、給電側接続具６６を受電側接続具６７に差し込み接続する際にかかる力が、メインスタンド３４を起立位置側に保持する方向すなわち後方に向かう方向である。
【００４９】
前記収納ボックス３８の左側のサイドカバー４８には、前記受電側接続具６７を臨ませる開口部１１８が設けられるものであり、この開口部１１８は、前記サイドカバー４８の外側面から内方に凹むようにして前記サイドカバー４８に形成される凹部１１９に設けられる。
【００５０】
しかも前記開口部１１８および凹部１１９は開閉可能として前記サイドカバー４８に取付けられる蓋部材１２０で覆われるものであり、この蓋部材１２０は、車両の前後方向後方に向けて操作することで開放位置となるようにして前記サイドカバー１２０にヒンジ機構１２１を介して支承されており、その蓋部材１２０の回動軸線ＣＬ（図１参照）は後上がりに傾斜して設定される。
【００５１】
しかも前記凹部１１９の前部には、前記受電側接続具６７に給電側接続具６６を接続して状態で前記蓋部材１２０を閉じたときに前記給電側接続具６６に連なる導線１２２をサイドカバー４８および蓋部材１２０間から外部に導出するための導出溝１２３が設けられており、前記導線１２２および前記蓋部材１２０間に介装せしめるための弾性部材１２４が前記蓋部材１２０の内面に貼着される。
【００５２】
また前記収納ボックス３８の左側壁外面には、前記受電側接続具６７の少なくとも一部（この実施の形態では一部）を収容、配置する収容凹部３８ｂが内方側に凹んで形成される。
【００５３】
次にこの実施の形態の作用について説明すると、後輪ＷＲを駆動する動力を発揮する電動モータ２３に高電圧の電力を供給する高電圧バッテリ３６がバッテリケース３７に収容されており、バッテリケース３７内には冷却ファン１０５の作動によって冷却空気導入ダクト８８…から冷却空気が導入されるのであるが、車両後方に向けて開口する開口部９０…がレッグシールド４３に設けられており、冷却空気導入ダクト８８…の上流端が開口部９０…に連なるようにしてレッグシールド４３に接続されるので、比較的清浄である空気がバッテリケース３７内に導かれ易くなり、風路に塵埃等が溜まり難くなり、長期使用による風路抵抗の増大を抑制することができる。
【００５４】
またレッグシールド４３にその後面から前方に凹むとともに上部には開口部９０…が設けられる凹部９１が形成され、開口部９０…を覆ってレッグシールド４３に取付けられるリッド９４の下縁と、凹部９１の下部との間に、開口部９０…に通じる空気導入口９７が形成されるので、雨水が開口部９０…から冷却空気導入ダクト８８…内に浸入し難くなり、雨水によって塵埃が冷却空気導入ダクト８８…の内面に固着することによる風路抵抗の増大を抑制することができる。
【００５５】
また前記凹部９１には、車幅方向に長く延びて後方に突出する第１の突起９８，９９がリッド９４との間に空気を流通させる隙間を形成するようにして突設され、リッド９４の内面には、車幅方向に長く延びて前方に突出する第２の突起１００，１０１が凹部９１との間に空気を流通させる隙間を形成するようにして突設されるので、第１および第２の突起９８，９９；１００，１０１で雨水の水切りが可能となり、雨水の冷却空気導入ダクト８８…内への浸入をより効果的に防止することができ、第１の突起９８，９９が補強リブの機能を果たすことでレッグシールド４３の剛性向上が可能となり、第２の突起１００，１０１が補強リブの機能を果たすことでリッド９４の剛性向上が可能となる。しかも複数たとえば２つずつの第１および第２の突起９８，９９；１００，１０１が、上下方向で交互に配置されるので、雨水の冷却空気導入ダクト８８…内への浸入をさらに効果的に防止することができる。
【００５６】
しかもレッグシールド４３およびリッド９４間に、空気導入口９７および両開口部９０…間に介在するようにしてスポンジ状の濾過部材１０４が挟持されるので、バッテリケース３７内に導かれる空気をより清浄化し、長期使用による風路抵抗の増大をより効果的に抑制することができる。
【００５７】
また前輪ＷＦの車軸１０２がレッグシールド４３よりも前方に配置され、開口部９０…の少なくとも一部が、前輪ＷＦの上端よりも側面視で上方に配置されるので、路面から開口部９０…までの距離を比較的大きくし、路面から巻き上げられる塵埃が開口部９０…に侵入し難くすることができる。
【００５８】
ところでヘッドパイプ２６から後下がりに延びるダウンフレーム２７の下部から後方に延びる左右一対のアンダーフレーム２８…間にバッテリケース３７が配置され、冷却空気導入ダクト８８…がレッグシールド４３内でダウンフレーム２７に沿って延びるように配置されるので、レッグシールド４３内に冷却空気導入ダクト８８…が収容される構成であってもレッグシールド４３をコンパクトにすることができ、レッグシールド４３の大型化を抑制することができる。また左右一対の冷却空気導入ダクト８８…がダウンフレーム２７を両側から挟むように配置されるので、バッテリケース３７内に導入する冷却空気量を充分に確保しつつ冷却空気導入ダクト８８…の大型化を回避することができる。
【００５９】
さらに車体カバー４１で覆われるバッテリケース３７に吸入側を接続するとともにその吐出口１０６をバッテリケース３７の幅方向一側に向けて開口せしめられた冷却ファン１０５が、バッテリケース３７の幅方向中心Ｃから他側にオフセットした位置でバッテリケース３７の後側上面に取付けられるので、冷却ファン１０５から排出された空気が車体カバー４１にあたって跳ね返ってくることによる風路抵抗を減少させることが可能となる。
【００６０】
また高電圧バッテリ３６に連なる高電力系の回路７４には、ヒューズ６２と、低電圧バッテリ４０に連なる低電力系の回路７５からの電力供給によって高電力系の回路７４の断・接を切換可能であるとともに低電力系の回路７５の遮断時には高電力系の回路７４を遮断する第１および第２リレースイッチ６３，６４とが介設され、前記低電力系の回路７５には、該低電力系の回路７５の断・接を手動操作によって切換え得るコネクタ７１が介設されており、前記ヒューズ６２にメンテナンスのために接触することは、バッテリケース３７の立ち上がり部７９ａおよびリレーボード１０８間に収容された前記ヒューズ６２を覆う蓋部材１０９の開放を、前記コネクタ７１によって前記低電力系の回路７５が遮断されている状態でのみ許容するように構成される接触防止手段１１１の働きにより、前記コネクタ７１によって低電力系の回路７５が遮断されている状態でのみ許容される。
【００６１】
したがって低電力系の回路７５が遮断されている状態でのみヒューズ６２への接触が許容され、その状態では、第１および第２リレースイッチ６３，６４が遮断状態にあって高電力系の回路７４が遮断されているので、ヒューズ６２のメンテナンスを行う時にはコネクタ７１による低電力系の回路７５の遮断が必要となり、高電力系のヒューズ６２のメンテナンス時の作業手順が守り易くなる。
【００６２】
しかも高電圧バッテリ３６を収容するバッテリケース３７における上部ケース７９の立ち上がり部７９ａに、複数のねじ部材１１０…で蓋部材１０９が締結されており、コネクタ７１は、蓋部材１０９にその開き側から対向する位置にその手動遮断時に蓋部材１０９の開放を許容するようにして配置されており、接触防止手段１１１は、コネクタ７１が、前記低電力系の回路７５の一部を構成する電線の導通・遮断を手動操作によって切り換えることを可能として、複数の前記ねじ部材１１０…の少なくとも１つを前記蓋部材１０９の開き側から覆うように配置されて成るので、コネクタ７１による手動遮断時に蓋部材１０９の開放を許容するようにすることで、接触防止手段１１１を簡素な構造で構成することができる。
【００６３】
またヒューズ６２および蓋部材１０９が、平面視でバッテリケース３７の幅方向中心から一側にオフセットした位置に配置されるので、車体Ｂの幅方向一側からのメンテナンス作業を行い易くなる。
【００６４】
また高電圧バッテリ３６が左右一対の前記アンダーフレーム２８…間に配置され、低電圧バッテリ４０が左右一対のリヤフレーム２９…間に配置されるので、高電圧バッテリ３６および低電圧バッテリ４０の外部からの保護が可能であり、第１および第２リレースイッチ６３，６４が、側面視で前記高電圧バッテリ３６および前記低電圧バッテリ４０間に配置されるので、リレー配線のコンパクト化が可能となる。
【００６５】
またスイングアーム２２の前部が、車体フレームＦにおける両リヤフレーム２９…の前部に設けられたピボットプレート３０…に揺動自在に支承され、電動モータ２３と、該電動モータ２３を駆動するようにして後輪ＷＲの前方に配置されるパワードライブユニット６１とが前記スイングアーム２２に設けられ、第１および第２リレースイッチ６３，６４が、側面視で前記高電圧バッテリ３６、前記低電圧バッテリ４０および前記パワードライブユニット６１によって囲まれる領域に配置されるので、第１および第２リレースイッチ６３，６４の周囲に高圧系の電装部品を配置して、高圧系の配線をコンパクト化することができる。
【００６６】
ところで乗員が着座する乗車用シート３９の下方には収納ボックス３８が配置され、乗車用シート３９の下方で収納ボックス３８を覆うサイドカバー４８には、開閉可能な蓋部材１２０で覆われる開口部１１８が設けられ、充電器６５に連なる給電側接続具６６を差し込み接続可能な受電側接続具６７が、開口部１１８に臨むようにしてサイドカバー４８および収納ボックス３８間に固定、配置されるので、収納ボックス３８を上方から覆う乗車用シート３９の開閉作業を行うことを不要として、乗車用シート３９を閉じ状態としたままで充電作業を行うことができ、充電作業が容易となり、利便性が向上する。
【００６７】
また給電側接続具６６の受電側接続具６７に対する差し込み接続方向１１７が、受電側接続具６７の前方もしくは後方から受電側接続具６７に近接するにつれて車幅方向内方位置となるように傾斜して設定されるので、サイドカバーおよび収納ボックス３８間に受電側接続具６７を配置しても、収納ボックス３８の容積を充分に確保することができる。しかも収納位置から前方に回動して起立位置となるメインスタンド３４がスイングアーム２２に回動可能に支承されており、受電側接続具６７に前方から差し込み接続可能な給電側接続具６６の差し込み接続方向１１７が、前方から前記受電側接続具６７に近接するにつれて車幅方向内方位置となるように傾斜して設定されるので、給電側接続具６６を受電側接続具６７に差し込み接続する際に、メインスタンド３４の回動支点にかかる力は、メインスタンド３４を起立位置側に保持する方向となり、給電側接続具６６の受電側接続具６７への差し込み接続に応じてメインスタンド３４が収納位置側に不所望に回動することはない。
【００６８】
また蓋部材１２０が、車両の前後方向後方に向けて操作することで開放位置となるようにしてサイドカバー４８に支承されており、蓋部材１２０の回動軸線ＣＬが後上がりに傾斜して設定されるので、蓋部材１２０は、後上がりに傾斜した回動軸線ＣＬまわりに後方に向けて操作することで開放位置となり、開放状態で蓋部材１２０は後下がりに傾斜した姿勢となっているので、蓋部材１２０を開放した状態での充電時に、風の作用等によって蓋部材１２０が閉じ側に不所望に回動することを極力回避することができる。
【００６９】
またサイドカバー４８の外側面から内方に凹む凹部１１９が、前記蓋部材１２０で閉鎖することを可能としてサイドカバー４８に形成され、開口部１１８が凹部１１９に設けられるので、凹部１１９を形成する部分を補強リブとして機能させてサイドカバー４８の強度向上を図ることが可能となるとともに、サイドカバー４８の内方を、開口部１１８以外の部分では凹部１１９で覆うので、受電側接続具６７を探し易くすることができるとともに、凹部１１９を開放した状態でサイドカバー４８の内方に小物を落とし難くすることができる。
【００７０】
また収納ボックス３８の左側壁外面には、電側接続具６７の少なくとも一部を収容、配置する収容凹部３８ｂが内方側に凹んで形成されるので、収納ボックス３８の側壁のうち必要な部分だけを凹ませて、受電側接続具６７がサイドカバー４８および収納ボックス３８間に配置されることによる収納ボックス３８の容積減少を小さく抑えることができる。
【００７１】
また車体フレームＦの一部を構成して収納ボックス３８の側方に配置されるリヤフレーム２９に、該リヤフレーム２９から内側に延びる取付け部１１６ａを有するステー１１６が固定され、取付け部１１６ａに受電側接続具６７が取り付けられるので、受電側接続具６７がリヤフレーム２９から外側方にはみ出さないようにして、サイドカバー４８のリヤフレーム２９…への取付けを容易とすることができる。
【００７２】
また車体Ｂを車幅方向一側に傾けた起立状態に保持するサイドスタンド３１が配置される側で、受電側接続具６７および前記開口部１１８が収納ボックス３８の側方に配置されるので、サイドスタンド３１を起立させた駐車状態での充電作業性が向上する。
【００７３】
さらに外部電源ＰＳに充電器６５を介して連なる給電側接続具６６を接続可能な受電側接続具６７が、収納ボックス３８の後方に配置されるＤＣ−ＤＣコンバータ６８を介して高電圧バッテリ３６および低電圧バッテリ４０に接続されるので、受電側接続具６７側へのバッテリ３６，４０からの逆流が生じ難くなる。
【００７４】
以上、本発明の実施の形態について説明したが、本発明は上記実施の形態に限定されるものではなく、特許請求の範囲に記載された本発明を逸脱することなく種々の設計変更を行うことが可能である。
【００７５】
たとえば上記実施の形態では、電動二輪車に本発明を適用した場合について説明したが、本発明は電動三輪車にも適用可能であり、駆動輪を駆動する動力を電動モータで発揮させるようにした電動車両に関連して本発明を広く実施することができる。
【符号の説明】
【００７６】
２２・・・スイングアーム
２３・・・電動モータ
２４・・・フロントフォーク
２６・・・ヘッドパイプ
２７・・・ダウンフレーム
２８・・・アンダーフレーム
２９・・・リヤフレーム
３６・・・高電圧バッテリ
３７・・・バッテリケース
４０・・・低電圧バッテリ
５１・・・補機である前照灯
５２・・・補機である尾灯
６１・・・パワードライブユニット
６２・・・遮断器であるヒューズ
６３，６４・・・リレースイッチ
７１・・・手動断・接手段であるコネクタ
７３・・・補機である制御ユニット
７４・・・高電力系の回路
７５・・・低電力系の回路
７９・・・ケースである上部ケース
１０９・・・蓋部材
１１０・・・ねじ部材
１１１・・・接触防止手段
Ｂ・・・車体
Ｆ・・・車体フレーム
ＷＦ・・・前輪
ＷＲ・・・駆動輪である後輪
【図１】
2011063065.tif 000003
【図２】
2011063065.tif 000004
【図３】
2011063065.tif 000005
【図４】
2011063065.tif 000006
【図５】
2011063065.tif 000007
【図６】
2011063065.tif 000008
【図７】
2011063065.tif 000009
【図８】
2011063065.tif 000010
【図９】
2011063065.tif 000011
【図１０】
2011063065.tif 000012
【図１１】
2011063065.tif 000013
【図１２】
2011063065.tif 000014
【図１３】
2011063065.tif 000015
【図１４】
2011063065.tif 000016